(57)【要約】【課題】部品点数を削減でき、回路抵抗を低減することができる接続端子を提供する。【解決手段】タブ状の相手接続部３が挿入される箱状の電気接続部５を有する接続端子１において、電気接続部５が、内部に連続する一部材で形成され相手接続部３と接触される複数の接触部７を有し、複数の接触部７が、相手接続部３の挿入方向上流側に設けられ相手接続部３を狭持して接触する一対の第１接触部９，９と、相手接続部３の挿入方向下流側に設けられ相手接続部３を狭持して接触する一対の第２接触部１１，１１とを有した。【選択図】図１
2014049375.tif 000002
【特許請求の範囲】
【請求項１】
タブ状の相手接続部が挿入される箱状の電気接続部を有する接続端子であって、
前記電気接続部は、内部に連続する一部材で形成され前記相手接続部と接触される複数の接触部を有し、
前記複数の接触部は、前記相手接続部の挿入方向上流側に設けられ前記相手接続部を狭持して接触する一対の第１接触部と、前記相手接続部の挿入方向下流側に設けられ前記相手接続部を狭持して接触する一対の第２接触部とを有することを特徴とする接続端子。
【請求項２】
請求項１記載の接続端子であって、
前記複数の接触部は、前記一対の第１接触部と前記一対の第２接触部との間に設けられ前記相手接続部に接触する第３接触部を有することを特徴とする接続端子。
【請求項３】
請求項１又は２記載の接続端子であって、
前記一対の第１接触部のうちいずれか一方の接触部と、前記一対の第２接触部のうちいずれか一方の接触部とは、前記相手接続部の挿入により弾性変形可能な弾性板部に設けられていることを特徴とする接続端子。
【発明の詳細な説明】
【技術分野】
【０００１】
本発明は、接続端子に関する。
【背景技術】
【０００２】
従来、接続端子としては、タブ状の相手接続部が挿入される箱状の電気接続部を有し、この電気接続部が内部に複数の接触部を有したものが知られている（例えば、特許文献１参照）。
【０００３】
この接続端子では、箱状に形成されたケースに配置された接続片に対して、主接触片と補助接触片とが別体で形成され、接続片と主接触片と補助接触片とが固定部材を介して一体に固定されている。
【先行技術文献】
【特許文献】
【０００４】
【特許文献１】実開昭５５−５１７３１号公報
【発明の概要】
【発明が解決しようとする課題】
【０００５】
ところで、上記特許文献１のような接続端子では、相手接続部と接触部との接触点を４点とすることによって、相手接続部と接触部との接触点が２点である場合に比較して、相手接続部と接触部との接触における回路抵抗を低減することができる。
【０００６】
しかしながら、上記特許文献１のような接続端子では、電気接続部において、接続片と主接触片と補助接触片とが別体で形成されているので、部品点数が増加していた。加えて、別体で形成された接続片と主接触片と補助接触片とを一体に固定することにより、電気接続部における回路抵抗が増加してしまっていた。
【０００７】
そこで、この発明は、部品点数を削減でき、回路抵抗を低減することができる接続端子の提供を目的としている。
【課題を解決するための手段】
【０００８】
請求項１記載の発明は、タブ状の相手接続部が挿入される箱状の電気接続部を有する接続端子であって、前記電気接続部は、内部に連続する一部材で形成され前記相手接続部と接触される複数の接触部を有し、前記複数の接触部は、前記相手接続部の挿入方向上流側に設けられ前記相手接続部を狭持して接触する一対の第１接触部と、前記相手接続部の挿入方向下流側に設けられ前記相手接続部を狭持して接触する一対の第２接触部とを有することを特徴とする。
【０００９】
この接続端子では、電気接続部が内部に連続する一部材で形成され相手接続部と接触される複数の接触部を有するので、複数の接触部を別体で形成させる必要がなく、部品点数を削減することができる。加えて、電気接続部における回路抵抗を低減することができる。
【００１０】
従って、このような接続端子では、複数の接触部が電気接続部で連続する一部材で形成されているので、部品点数を削減でき、回路抵抗を低減することができる。
【００１１】
また、複数の接触部は、相手接続部の挿入方向上流側に設けられた一対の第１接触部と、相手接続部の挿入方向下流側に設けられた一対の第２接触部とを有するので、相手接続部と接続端子との材料の種類によって電流が流れるメイン流路として第１接触部と第２接触部とのうちいずれか一方の接触部を選択することができる。
【００１２】
このため、相手接続部及び接続端子の形状を変更することなく、相手接続部と接続端子との間を流れる電流の回路長を変更することができる。
【００１３】
請求項２記載の発明は、請求項１記載の接続端子であって、前記複数の接触部は、前記一対の第１接触部と前記一対の第２接触部との間に設けられ前記相手接続部に接触する第３接触部を有することを特徴とする。
【００１４】
この接続端子では、複数の接触部が一対の第１接触部と一対の第２接触部との間に設けられ相手接続部に接触する第３接触部を有するので、相手接続部と複数の接触部との接触点を５点とすることができ、さらに回路抵抗を低減することができる。
【００１５】
請求項３記載の発明は、請求項１又は２記載の接続端子であって、前記一対の第１接触部のうちいずれか一方の接触部と、前記一対の第２接触部のうちいずれか一方の接触部とは、前記相手接続部の挿入により弾性変形可能な弾性板部に設けられていることを特徴とする。
【００１６】
この接続端子では、一対の第１接触部及び一対の第２接触部のうちいずれか一方のそれぞれの接触部が相手接続部の挿入により弾性変形可能な弾性板部に設けられているので、相手接続部と複数の接触部との接触信頼性を確保しつつ、相手接続部の挿入力を低減することができる。
【発明の効果】
【００１７】
本発明によれば、部品点数を削減でき、回路抵抗を低減することができる接続端子を提供することができるという効果を奏する。
【図面の簡単な説明】
【００１８】
【図１】本発明の実施の形態に係る接続端子の断面図である。
【図２】本発明の実施の形態に係る接続端子の斜視図である。
【図３】本発明の実施の形態に係る接続端子の相手接続部が挿入されていないときの断面図である。
【発明を実施するための形態】
【００１９】
図１〜図３を用いて本発明の実施の形態に係る接続端子について説明する。
【００２０】
本実施の形態に係る接続端子１は、タブ状の相手接続部３が挿入される箱状の電気接続部５を有する。
【００２１】
そして、電気接続部５は、内部に連続する一部材で形成され相手接続部３と接触される複数の接触部７を有する。
【００２２】
また、複数の接触部７は、相手接続部３の挿入方向上流側に設けられ相手接続部３を狭持して接触する一対の第１接触部９，９と、相手接続部３の挿入方向下流側に設けられ相手接続部３を狭持して接触する一対の第２接触部１１，１１とを有する。
【００２３】
さらに、複数の接触部７は、一対の第１接触部９，９と一対の第２接触部１１，１１との間に設けられ相手接続部３に接触する第３接触部１３を有する。
【００２４】
また、一対の第１接触部９，９のうちいずれか一方の接触部９と、一対の第２接触部１１，１１のうちいずれか一方の接触部１１とは、相手接続部３の挿入により弾性変形可能な弾性板部１５に設けられている。
【００２５】
図１〜図３に示すように、接続端子１は、導電性材料の１枚の板材からなり、この１枚の板材に折り曲げ加工などを施すことによって、電線圧着部１７と、電気接続部５とが形成されている。電線圧着部１７は、被覆圧着部１９と、芯線圧着部２１とを備えている。
【００２６】
被覆圧着部１９は、一対の加締め片からなり、機器などに接続された被覆電線（不図示）の端末部において、被覆電線の被覆部を加締めて被覆電線と接続端子１とが一体に固定される。芯線圧着部２１は、電気接続部５と被覆圧着部１９との間に設けられた一対の圧着片からなり、被覆電線の端末部において、被覆電線の被覆部から露出された芯線部を加締めて被覆電線と接続端子１とが電気的に接続される。
【００２７】
電気接続部５は、底板が電線圧着部１７と連続する一部材で形成され、折り曲げ加工によって箱状に形成された雌型の接続部からなる。この電気接続部５には、相手端子（不図示）のタブ状に形成された雌型の相手接続部３が挿入される。このような電気接続部５の内部には、相手接続部３と接触する複数の接触部７が設けられ、相手端子と接続端子１とが電気的に接続される。
【００２８】
複数の接触部７は、一対の第１接触部９，９と、一対の第２接触部１１，１１と、第３接触部１３とを備えている。一対の第１接触部９，９は、電気接続部５において、相手接続部３の挿入方向上流側に設けられている。この一対の第１接触部９，９のうち上側に位置する第１接触部９は、上板２３と連続する一部材で形成され、電気接続部５の内部に向けて突接されている。
【００２９】
一方、一対の第１接触部９，９のうち下側に位置する第１接触部９は、底板を電気接続部５の内部に向けて折り曲げ加工された弾性板部１５と連続する一部材で形成され、電気接続部５の内部に向けて突接されている。なお、弾性板部１５は、電気接続部５に相手接続部３が挿入されることにより、底板側に向けて弾性変形可能に設けられている。
【００３０】
この一対の第１接触部９，９は、電気接続部５に相手接続部３が挿入されると、相手接続部３の基部側の上下面に接触され、相手端子と接続端子１とを電気的に接続させる。
【００３１】
一対の第２接触部１１，１１は、電気接続部５において、相手接続部３の挿入方向下流側に設けられている。この一対の第２接触部１１，１１のうち上側に位置する第２接触部１１は、上板２３と連続する一部材で形成され、電気接続部５の内部に向けて突接されている。
【００３２】
一方、一対の第２接触部１１，１１のうち下側に位置する第２接触部１１は、弾性板部１５と連続する一部材で形成され、電気接続部５の内部に向けて突接されている。
【００３３】
この一対の第２接触部１１，１１は、電気接続部５に相手接続部３が挿入されると、相手接続部３の先端側の上下面に接触され、相手端子と接続端子１とを電気的に接続させる。
【００３４】
第３接触部１３は、電気接続部５において、第１接触部９と第２接触部１１との間で、上板２３と連続する一部材で形成され、電気接続部５の内部に向けて突接されている。この第３接触部１３は、電気接続部５に相手接続部３が挿入されると、相手接続部３の中央の上面に接触され、相手端子と接続端子１とを電気的に接続させる。
【００３５】
このような複数の接触部７は、相手接続部３と接続端子１との材料の種類によって電流が流れるメイン流路として第１接触部９と第２接触部１１とのうちいずれか一方の接触部を選択することができる。
【００３６】
詳細には、例えば、相手接続部３と接続端子１とが銅合金で形成された同種の金属である場合には、相手接続部３と接続端子１との間の回路長が短くなる第１接触部９が大電流が流れるメイン接触部となる。
【００３７】
これに対して、例えば、相手接続部３が銅合金で形成され、接続端子１が銅合金よりも固有抵抗が高いステンレス鋼で形成された異種の金属である場合には、大電流が回路抵抗の低い相手接続部３を長く流れるので、第２接触部１１がメイン接触部となる。
【００３８】
このようにメイン接触部を選択可能とすることにより、相手接続部３及び接続端子１の形状を変更することなく、相手接続部３と接続端子１との間を流れる電流の回路長を変更することができる。なお、メイン接触部に選択されていない接触部は、低電流が流れるサブ接触部となっている。
【００３９】
このような接続端子１では、電気接続部５が内部に連続する一部材で形成され相手接続部３と接触される複数の接触部７を有するので、複数の接触部７を別体で形成させる必要がなく、部品点数を削減することができる。加えて、電気接続部５における回路抵抗を低減することができる。
【００４０】
従って、このような接続端子１では、複数の接触部７が電気接続部５で連続する一部材で形成されているので、部品点数を削減でき、回路抵抗を低減することができる。
【００４１】
また、複数の接触部７は、相手接続部３の挿入方向上流側に設けられた一対の第１接触部９，９と、相手接続部３の挿入方向下流側に設けられた一対の第２接触部１１，１１とを有するので、相手接続部３と接続端子１との材料の種類によって電流が流れるメイン流路として第１接触部９と第２接触部１１とのうちいずれか一方の接触部を選択することができる。
【００４２】
このため、相手接続部３及び接続端子１の形状を変更することなく、相手接続部３と接続端子１との間を流れる電流の回路長を変更することができる。
【００４３】
また、複数の接触部７は、一対の第１接触部９，９と一対の第２接触部１１，１１との間に設けられ相手接続部３に接触する第３接触部１３を有するので、相手接続部３と複数の接触部７との接触点を５点とすることができ、さらに回路抵抗を低減することができる。
【００４４】
さらに、一対の第１接触部９，９及び一対の第２接触部１１，１１のうちいずれか一方のそれぞれの接触部９，１１は、相手接続部３の挿入により弾性変形可能な弾性板部１５に設けられているので、相手接続部３と複数の接触部７との接触信頼性を確保しつつ、相手接続部３の挿入力を低減することができる。
【００４５】
なお、本発明の実施の形態に係る接続端子では、接続端子が被覆電線に圧着されて電気的に接続されているが、これに限らず、例えば、接続端子を回路基板の導体に電気的に接続するなど、接続端子が接続される導通部材はどのようなものであってもよい。
【００４６】
また、複数の接触部は、相手接続部に対する接触点が５点となっているが、これに限らず、５点以上、もしくは４点であってもよい。
【符号の説明】
【００４７】
１…接続端子
３…相手接続部
５…電気接続部
７…接触部
９…第１接触部
１１…第２接触部
１３…第３接触部
１５…弾性板部
【図１】
2014049375.tif 000003
【図２】
2014049375.tif 000004
【図３】
2014049375.tif 000005